(57)【要約】【課題】仕向け先が多数の国や地域におよぶ製品においても相当数の品種を揃える必要がなく、かつ、手動での設定変更を不要とする放送受信装置を提供する。【解決手段】放送波を受信する放送受信手段（チューナ１、ＤＳＰ８）と、エリア毎、放送規格情報が設定される記憶手段（フラッシュメモリ４）と、位置検出手段（ＧＰＳレシーバ２）で検出された位置情報に従い特定されるエリア情報に基づき記憶手段４を参照し、該当する放送規格情報を選択して放送受信手段（ＤＳＰ８）へ設定する制御手段（制御装置３）とにより構成される。【選択図】図１
2009194406.tif 000002
【特許請求の範囲】
【請求項１】
放送波を受信する放送受信手段と、
エリア毎に、放送規格情報が設定される記憶手段と、
位置検出手段で検出された位置情報に従い特定されるエリア情報に基づき前記記憶手段を参照し、該当する放送規格情報を選択して前記放送受信手段へ設定する制御手段と、
を備えたことを特徴とする放送受信装置。
【請求項２】
前記放送規格情報は、受信周波数範囲、選局時におけるスキャン周波数ステップ、デエンファシス、文字放送対応エリアの有無に関する情報のうち、少なくとも一つとすることを特徴とする請求項１記載の放送受信装置。
【請求項３】
前記制御手段は、
前記特定されたエリア情報に応じて前記放送規格情報に基づく画面情報を生成し、表示モニタへ表示することを特徴とする請求項１記載の放送受信装置。
【請求項４】
前記制御手段は、
前記特定されたエリア情報がデータ放送対応エリアか否かを判定し、対応すると判定された場合、前記放送受信手段が受信した放送波に多重化されたデータを復調して前記表示モニタへ表示し、非対応と判定された場合、前記データが表示される領域をマスクして表示することを特徴とする請求項３記載の放送受信装置。
【発明の詳細な説明】
【技術分野】
【０００１】
この説明は、ＧＰＳ（Global Positioning System）等、位置検出手段を備えた放送受信装置に関する。
【背景技術】
【０００２】
ＡＭ、ＦＭラジオの放送方式は世界各国でほぼ同一であるが、その放送規格は、国や地域により若干の違いがある。例えば、ＦＭ放送周波数に関し、米国では８７．７ＭＨｚ〜１０７．ＭＨｚ、日本では、７６．０ＭＨｚ〜９０．０ＭＨｚとなっている。
また、副搬送波に、放送番組に関連する情報、交通情報等を重畳して放送を行う放送形態も知られている。例えば、欧州で広く普及しているＦＭ多重放送であるラジオデータシステム（ＲＤＳ）、米国におけるラジオブロードキャストデータシステム（ＲＤＢＳ）、デジタルオーディオブロードキャスティング（ＤＡＢ）等である。
【０００３】
上記したＲＤＳは、欧州では広く普及しているが、その他の地域ではあまり普及しておらず、他も同様である。これらの地域差により、例えば、北米向け、欧州向けのラジオ受信機を日本で使用することは、ラジオの受信周波数範囲が異なるため不可能である。
また、例えば、ＲＤＳ放送が無い地域でＲＤＳ放送受信機能搭載のラジオ受信機の使用を試みても、ＲＤＳ放送受信機能に関連したスイッチが画面に表示されているにもかかわらず情報の受信が出来ないため、ドライバーに不快感を与えることになる。
【０００４】
上記した問題を解決するために、ＧＰＳを利用し、自車位置により必要な地域の交通情報を取得し、国境付近を走行している場合に誤って隣国の交通情報を受信しないように制御する多重放送受信装置（例えば、特許文献１参照）、あるいは、受信環境が悪化したとき、自車位置によって代替周波数に自動切換えする放送受信機のパラメータの制御方法（例えば、特許文献２参照）が知られている。
【０００５】
【特許文献１】特開２００２−６４３９１号公報（段落「００１３」〜「００１６」、図２）
【特許文献２】特開２００３−５２６９９５号公報（段落「０００８」〜「００１３」、図１）
【発明の開示】
【発明が解決しようとする課題】
【０００６】
上記した特許文献１、特許文献２に開示された技術によれば、国や地域等エリア毎に最適な情報あるいは放送が受信できるが、上記同様、例えば、ＲＤＳ放送が無い地域でＲＤＳ放送受信機能搭載のラジオ受信機の使用を試み、画面表示された内容に基づきボタン操作しても情報の受信は不可能であり、したがって上記した課題を根本的に解決できるものではない。
このことを解決するために、通常、メーカでは仕向け先毎にソフトウェアを変更し、仕向け先の規格に合った仕様に変更して製品を出荷するが、仕向け先が多数の国や地域におよぶ製品では相当数の品種を揃える必要があり、決して得策といえる方法ではない。また、車両を販売する時点で設定を変更する方法もあるが、作業ミス等により誤った設定になる可能性もある。
【０００７】
この発明は上記した課題を解決するためになされたものであり、国や地域等エリアによって異なる放送規格情報をパラメータとして持つことにより、仕向け先が多数の国や地域におよぶ製品においても相当数の品種を揃える必要がなく、かつ、手動での設定変更を不要とした、放送受信装置を得ることを目的とする。
【課題を解決するための手段】
【０００８】
この発明に係る多放送受信装置は、放送波を受信する放送受信手段と、エリア毎、放送規格情報が設定される記憶手段と、位置検出手段で検出された位置情報に従い特定されるエリア情報に基づき記憶手段を参照し、該当する放送規格情報を選択して放送受信手段へ設定する制御手段とを備えたものである。
【発明の効果】
【０００９】
この発明によれば、国や地域等エリアによって異なる放送規格情報をパラメータとして持つことにより、仕向け先が多数の国や地域におよぶ製品においても相当数の品種を揃える必要がなく、かつ、手動での設定変更を不要とすることができる。
【発明を実施するための最良の形態】
【００１０】
実施の形態１．
図１は、この発明の実施の形態１に係る放送受信装置の内部構成を示すブロック図である。ここでは、放送受信装置として車載用ＲＤＳ放送対応受信機を例示する。
車載用ＲＤＳ放送対応受信機は、放送受信手段としてのチューナ１およびＤＳＰ（Digital Signal Processor）８と、位置検出手段としてのＧＰＳレシーバ２と、マイクロプロセッサを制御中枢とする制御手段としての制御装置３と、後述する放送規格情報（以下、パラメータという）が設定記憶される記憶手段としてのフラッシュメモリ４と、地図データが記憶されるハードデスク装置（以下、ＨＤＤという）５と、ＬＣＤ（Liquid Crystal Device）タッチパネル６と、デコーダ７と、アンプ９と、スピーカ１０とで構成される。
【００１１】
チューナ１により受信される放送波はＤＳＰ８に供給される。ＤＳＰ８は、後述する制御装置３により設定されるパラメータに従い動作し、チューナ１から出力される放送を音声信号に変換し、アンプ８により増幅後、その音声信号をスピーカ１０により音声出力する。
一方、ＧＰＳレシーバ２は、地球を周回している複数の衛星からの電波を受信し、緯度、経度等の位置情報を演算して制御装置３へ出力する。制御装置３へは、他に、放送波に重畳されるデータを復調してデコードするデコーダ７出力も供給されている。
【００１２】
制御装置３は、ＧＰＳレシーバ２から出力される車両の現在位置情報に基づき特定される国や地域等のエリア情報からフラッシュメモリ４を参照し、このフラッシュメモリ４から該当するパラメータを選択してチューナ１およびＤＳＰ８へ設定する。
なお、制御装置３によるコントロールにより、ＬＣＤタッチパネル６は、ユーザがタッチパネルを操作することにより入力されるデータを取り込み、あるいはＬＣＤデスプレイにデータ表示を行う。
【００１３】
図２は、図１に示す制御装置の内部構成を機能展開して示したブロック図である。制御装置３の構成を機能的に区分すれば、位置情報取得部３１と、現在地判定部３２と、パラメータ選択部３３と、パラメータ設定部３４と、画面デザイン生成部３５と、文字情報生成部３６とから成る。
【００１４】
位置情報取得部３１は、ＧＰＳレシーバ２から車両の現在位置情報を取得して現在地判定部３２へ供給する。現在判定部３２は、位置情報取得部３１から取得される車両の現在位置情報に基づき、ＨＤＤ５に記憶された地図データを参照して現在地（エリア）判定を行い、パラメータ選択部３３へ供給する。
パラメータ選択部３３は、現在地判定部３２により出力されるエリア情報に基づきフラッシュメモリ４を参照してパラメータを選択してパラメータ設定部３４に出力する。パラメータ設定部３４は、パラメータ選択部３３により出力されるパラメータをチューナ１およびＤＳＰ８に供給し、チューナ１およびＤＳＰ８にそのパラメータを設定する。
【００１５】
パラメータ選択部３３により選択されたパラメータは、画面デザイン生成部３５にも供給される。画面デザイン生成部３５には、他に、現在地判定部３２出力であるエリア情報、および、文字情報生成部３６により生成される文字情報も供給されている。画面デザイン生成部３５は、これら入力データから画面デザイン情報を生成し、表示のためにＬＣＤタッチパネル３５へ供給する。
【００１６】
図３は、エリア毎設定されるパラメータの一例を示す図であり、ここでは、エリア（欧州、米国、日本）毎、受信周波数範囲、選局時のスキャン周波数ステップ、デエンファシス（放送波の受信時、ノイズを改善するために強調された高域の信号を元の周波数特性に戻すこと）等、放送規格に係る情報が、更には、図示せぬＲＤＳの対応有無の情報等がともにパラメータとしてフラッシュメモリ４に設定され保持されている。
放送規格にかかわるデータとして、例えば、欧州（Europe）では、８７．５ＭＨｚ〜１０８．０ＭＨｚの周波数範囲の放送波を受信し、選局時１００周波数ステップ単位でスキャンし、５０のデエンファシスで放送波を受信する規格を持つ。また、米国（USA）では、８７．７ＭＨｚ〜１０７．９ＭＨｚの周波数範囲の放送波を受信し、選局時２００周波数ステップ単位でスキャンし、７５のデエンファシスで放送波を受信する規格を持ち、日本（JAPAN）では、７６．０ＭＨｚ〜９０．０ＭＨｚの周波数範囲の放送波を受信し、選局時１００周波数ステップ単位でスキャンし、５０のデエンファシスで放送波を受信する規格を持つ。
【００１７】
図４は、この発明の実施の形態１に係る放送受信装置の動作を説明するために引用したフローチャートである。
以下、図４に示すフローチャートを参照しながら、図１〜図３に示す発明の実施の形態１の動作について詳細に説明する。
【００１８】
制御装置３は、まず、位置情報取得部３１がＧＰＳレシーバ２から車両の現在位置情報を取得する（ステップＳＴ４０１）。そして、現在地判定部３２は、その現在位置情報が正常に取得されたことを判定した後（ステップＳＴ４０２“ＹＥＳ”）、ＨＤＤ５に記憶されてある地図データから、現在地（その緯度、経度情報が、どの国、地域に属するかを示すエリア情報）を判定する（ステップＳＴ４０３）。
【００１９】
ここで、エリア情報が日本に属すると判定された場合（ステップＳＴ４０３“JAPAN”）、パラメータ選択部３３は、フラッシュメモリ４から、受信周波数範囲７６．０ＭＨｚ〜９０．０ＭＨｚ、周波数ステップ１００等々で示されるパラメータを選択し（ステップＳＴ４０４）、また、エリア情報が米国に属すると判定された場合（ステップＳＴ４０３“USA”）、受信周波数範囲８７．７ＭＨｚ〜１０７．９ＭＨｚ、周波数ステップ２００等々で示されるパラメータを選択し（ステップＳＴ４０５）、更に、エリア情報が欧州と判定された場合（ステップＳＴ４０３“Europe”）、受信周波数範囲８７．５ＭＨｚ〜１０８．０ＭＨｚ、周波数ステップ１００等々で示されるパラメータを選択し（ステップＳＴ４０６）、それぞれパラメータ設定部３４へ供給する。
【００２０】
パラメータ設定部３４は、パラメータ選択部３３によりフラッシュメモリ４が参照され、取得したパラメータをチューナ１およびＤＳＰ８へ設定する（ステップＳＴ４０７）。
【００２１】
なお、図５、図６に表示画面構成の一例が示されるように、ＬＣＤタッチパネル６には受信周波数が表示され、さらに周波数を変更したい場合に備えて、「ＴＵＮＥ ＵＰ」あるいは「ＴＵＮＥ ＤＯＷＮ」等々、複数のホダン類がグラフィックとして表示されている。
画面デザイン生成部３５は、エリア情報に基づき画面デザインデータを生成し、以前表示していた画面情報に変更があった場合（ステップＳＴ４０８“ＹＥＳ”）、例えば、米国用に、「ＴＵＮＥ ＵＰ」や「ＴＵＮＥ ＤＯＷＮ」ボタンを押下した時の周波数範囲を８７．７ＭＨｚ〜１０７．９ＭＨｚに固定し、選局時の周波数ステップを２００ＫＨｚ単位として表示する（ステップＳＴ４１０）。つまり、図５（ａ）に示されるように、９０．０ＭＨｚに周波数設定された放送波によるラジオを聞いている時に「ＴＵＮＥ ＵＰ」ボタンを押下すると、その次は９０．２ＭＨｚに設定されるように内部で制御され、表示されるようになっている。
【００２２】
また、日本用にも同様、その周波数範囲を７６．０ＭＨｚに、選局時の周波数ステップを１００ＫＨｚに設定してＬＣＤタッチパネル６画面上に表示し（ステップＳＴ４０９）、欧州用にも同様、その周波数範囲を９０．０ＭＨｚに、選局時の周波数ステップを２００ＫＨｚに設定してＬＣＤタッチパネル６画面上に表示している（ステップＳＴ４１１）。このことは図５（ｂ）、図６（ａ）のそれぞれに示されている。
【００２３】
なお、現在地判定部３２は、エリア情報がＲＤＳ対応エリアに該当するか否かについても判定しており（ステップＳＴ４１２）、ここで、現在地判定部３２が、エリア情報はＲＤＳ対応エリアに該当すると判定した場合（ステップＳＴ４１２“ＹＥＳ(Europe)”）、画面デザイン生成部３５は、その画面デザインを、図６（ａ）に示されるようにＲＤＳ対応表示に変更する。
このとき、文字情報生成部３６は、デコーダ７により復調されデコードされた情報から文字情報を生成し、画面デザイン生成部３５へ供給する。画面デザイン生成部３５は、ＬＣＤタッチパネル３５に表示するＲＤＳ固有のボタン、例えば、番組識別ボタンＰＴＹ（Program Type Code）、交通情報ボタンＴＡ（Traffic Announce）表示を行う（ステップＳＴ４１３）。なお、現在地判定部３２が、エリア情報はＲＤＳ対応エリアに該当しないと判定した場合（ステップＳＴ４１２“ＮＯ（JAPAN,USA）”）、例えば、図６（ｂ）に示されるように、ＲＤＳ放送対応受信機を日本で使用した場合、上記したＲＤＳ固有のボタンである、ＰＴＹ、ＴＡをマスクし、その表示領域に他の表示（「ＴＵＮＥ ＵＰ」や「ＴＵＮＥ ＤＯＷＮ」ボタン等々）を施すことで代替表示する。
【００２４】
上記したように、この発明の実施の形態１によれば、走行しているエリアに応じて放送波に関連した放送規格情報（パラメータ設定値）を変更できるため、ユーザ（ドライバー）に与える不快感を解消し、また、メーカも仕向け先を意識することなくＲＤＳ対応受信機を製造することが可能になり、生産、在庫数の管理面で非常に有利である。
なお、このために記憶手段（フラッシュメモリ４）が余分に必要となるが、本来のプログラム用に用意しているメモリと比較してその量は僅かであり問題になることはない。また、実施の形態１によれば、ＲＤＳ対応受信機のみ例示したが、他に、ＲＤＢＳ、ＤＡＢ等のＦＭ多重放送受信機は勿論のこと、ＡＭ放送やＴＶ放送でも同様に応用可能であることは言うまでもない。また、国や地域等のエリア毎に、国民性や地域性に応じて音量、音質に関する設定値を変更することも同様に可能である。
【００２５】
また、制御装置３は、ハードウェア的には、マイクロプロセッサ、ＲＯＭ、ＲＡＭ、およびその周辺ＬＳＩから成るＩＣチップ（いずれも不図示）により構成され、マイクロプロセッサがＲＯＭに記録されたプログラムを逐次読み出し実行することにより、ＲＡＭを含む周辺ＬＳＩを制御して上記した制御装置３が持つ機能を実行するものである。
このとき、位置情報取得部３１と、現在地判定部３２と、パラメータ選択部３３と、パラメータ設定部３４と、画面デザイン生成部３５と、文字情報生成部３６のそれぞれが持つ機能は、マイクロプロセッサがＲＯＭに記録されたプログラムを逐次読み出し実行することにより実現されるものである。
【図面の簡単な説明】
【００２６】
【図１】この発明の実施の形態１に係る放送受信装置の内部構成を示すブロック図である。
【図２】図１に示す制御装置の内部構成を機能展開して示したブロック図である。
【図３】この発明の実施の形態１に係る放送受信装置によりエリア毎設定されるパラメータの一例を示す図である。
【図４】この発明の実施の形態１に係る放送受信装置の動作を説明するために引用したフローチャートである。
【図５】この発明の実施の形態１に係る放送受信装置により生成される画面構成の一例を示す図である。
【図６】この発明の実施の形態１に係る放送受信装置により生成される画面構成の一例を示す図である。
【符号の説明】
【００２７】
１  チューナ（放送受信手段）、２  ＧＰＳレシーバ（位置検出手段）、３  制御装置（制御手段）、４  フラッシュメモリ（記憶手段）、８  ＤＳＰ（放送受信手段）、３１  位置情報取得部、３２  現在地判定部、３３  パラメータ選択部、３４  パラメータ設定部、３５  画面デザイン生成部、３６  文字情報生成部。
【図１】
2009194406.tif 000003
【図２】
2009194406.tif 000004
【図３】
2009194406.tif 000005
【図４】
2009194406.tif 000006
【図５】
2009194406.tif 000007
【図６】
2009194406.tif 000008